(57)【要約】      （修正有）【課題】降雨時に、架空送電線等の鉄塔の主柱材及び斜材を伝わって流下する雨水が、主柱材と斜材とを連結する連結プレートの角部位及びボルト締結部位等に集束し、そこから鉄塔の周辺敷地内に飛散するのを防止する雨水飛散防止装置を提供する。【解決手段】降雨時に、鉄塔Ｐの主柱材１と斜材２とを連結する連結プレート３に集束した雨水が地上に飛散するのを防止するための鉄塔の雨水飛散防止装置として、主柱材１から連結プレート３に沿って流下する雨水および連結プレートの角部位３ａまたはボルト締結部位３ｂに集束した雨水の飛散を受け止めるために、主柱材における連結プレートの直下に飛散防止カバー５を付設する。飛散防止カバー５は、斜材２に掛け止め固定した肩掛材４を介して取り付ける。【選択図】図１
0003208952.tif 000002
【実用新案登録請求の範囲】
【請求項１】
降雨時に、鉄塔の主柱材と斜材とを連結する連結プレートに集束した雨水が地上に飛散するのを防止するための鉄塔の雨水飛散防止装置であって、該装置は、前記主柱材から連結プレートに沿って流下する雨水および連結プレートの角部位またはボルト締結部位に集束した雨水の飛散を受け止めるために、前記主柱材における連結プレート直下に付設された飛散防止カバーを備えてなることを特徴とする鉄塔の雨水飛散防止装置。
【請求項２】
前記飛散防止カバーは、斜材に掛け止め固定された肩掛材を介して取り付けられている請求項１に記載の鉄塔の雨水飛散防止装置。
【請求項３】
前記鉄塔は、主柱材および斜材が断面略Ｌ字状となる山形鋼であり、前記連結プレートは主柱材の外側両端においてそれぞれ一部はみ出し状に取り付けられた不等辺多角形状の平板材であって、主柱材の外側一端の連結プレートの内側に斜材の外側を接続し、主柱材の外側他端の連結プレートの外側に斜材の外側を接続してなり、前記飛散防止カバーは、主柱材の外側両端の前記連結プレートに各接続された斜材それぞれに掛け止め固定された肩掛材によって外側両端の各連結プレート直下において主柱材の外側に沿って架設される略Ｌ字枠状の帯板材としてなる請求項１または２に記載の鉄塔の雨水飛散防止装置。
【請求項４】
前記飛散防止カバーは、主柱材の外側に略水平となって当接される基部と、該基部の上辺から斜め前方に向けて張り出した雨水受カバー部とを有してなる請求項１乃至３のいずれかに記載の鉄塔の雨水飛散防止装置。
【請求項５】
前記雨水受カバー部は、連結プレートの角部位に対向する箇所だけ縦幅を大きくしてなる請求項４に記載の鉄塔の雨水飛散防止装置。
【請求項６】
前記主柱材の内側には、前記両側の肩掛材を介して、雨樋状の内側雨受け金具が付設されてなる請求項１乃至５のいずれかに記載の鉄塔の雨水飛散防止装置。
【請求項７】
前記内側雨受け金具の中央には、主柱材の内側中央から当該主柱材に沿って雨水を流下させるための水抜部を設けてなる請求項６に記載の鉄塔の雨水飛散防止装置。
【請求項８】
前記肩掛材は、斜材の外側に当接される略Ｌ字片状の肩掛片と、斜材の内側に当接して前記肩掛片に接続される略Ｌ字片状の支持アーム片とを有し、該支持アーム片または肩掛片を介して前記内側雨受け金具が主柱材の内側に当接配置されるものとしてなる請求項１乃至７のいずれかに記載の鉄塔の雨水飛散防止装置。
【請求項９】
前記肩掛材は、その上辺から斜め前方に向けて張り出した堰き止め部を設け、前記主柱材から斜材に沿って流下する雨水を堰き止めて前記飛散防止カバー側に導くものとしてなる請求項８に記載の鉄塔の雨水飛散防止装置。
【請求項１０】
前記支持アーム片または前記肩掛材に接続された前記内側雨受け金具の接続部には、前記雨水受カバー部によって受けた雨水を前記内側雨受け金具側に導入させるための略Ｌ字片状の雨水導入用連通片が接続されてなる請求項８に記載の鉄塔の雨水飛散防止装置。
【請求項１１】
前記雨水導入用連通片は、前記飛散防止カバーの雨水受カバー部内面に接触する当接導通片を上辺に備え、雨水受カバー部によって受けた雨水を、当接導通片を介して前記内側雨受け金具内部に導入させるものとした請求項１０に記載の鉄塔の雨水飛散防止装置。
【考案の詳細な説明】
【技術分野】
【０００１】
この考案は、降雨時において、例えば、鋼管製、合成樹脂管製、その他各種合金管製等や、山形鋼製の架空送電線等の鉄塔の主柱材及び斜材を伝わって流下する雨水が、当該主柱材と斜材とを連結する連結プレートの、例えば、角部位及びボルト締結部位等に集束して、そこから鉄塔の周辺敷地内に飛散するのを防止するための鉄塔の雨水飛散防止装置に関するものである。
【背景技術】
【０００２】
一般的に、降雨時には、架空送電線等の鉄塔から地上へ、雨水が飛散する現象が発生する。このような鉄塔部材から発生する雨水飛散は、従来自然現象ということで、有効な対策品が存在しない。この雨水飛散が鉄塔に近隣する民家に飛散すると、大きな雨音となるため苦情が発生している。
【０００３】
例えば、図１４及び図１５に示すように、鉄塔Ｐの主柱材１００及び斜材２００は断面がＬ字状となる山形鋼（アングル材）により構成されており、主柱材１００の外側左右対称位置に、不等辺多角形状の板材による連結プレート３００を介して、各２本（斜め上方向と斜め下方向の各２本）の斜材２００がボルト締結されている。
【０００４】
そして、降雨時には、主柱材１００と斜材２００とを連結する連結プレート３００の、例えば、角部位３００ａ及びボルト締結部位３００ｂ等まで流下してきた雨水は、そこから集中的に周辺へ飛散することとなる。
【０００５】
このため、降雨時において、鉄塔の主柱材及び斜材を伝わって流下する雨水の滴下箇所を分散させたり、雨水を一箇所に集水させて排出したりする、いわゆる間接的な対策が採られているのが現状である。
【０００６】
その具体的な対策として、例えば、特許文献１には、鋼管を柱材として使用する鉄塔において、雨水の特定箇所からの集中落下を防ぐ斜材用雨水排出装置が提案されている。
【０００７】
この特許文献１に記載される斜材用雨水排出装置は、芯材及び締結具により鋼管の周囲に固定されるチューブ状体を備え、鉄塔において雨水の特定箇所からの集中落下を防ぐものである。
【０００８】
また、特許文献２には、主柱材を地面に支持するコンクリート基礎部の湿潤による腐食を防ぐことを可能にする鉄塔、雨水排水装置及び塵芥除けが提案されている。
【０００９】
この特許文献２に記載される鉄塔、雨水排水装置及び塵芥除けは、断面がＬ字状となる山形鋼（アングル材）により構成される主柱材又は斜材の外側の面又は内側の面に設置される雨水排水装置を、一方の端部が排水端部として開放された排水溝を有する排水レールと、複数の排水レールを連結する連結部材とを備えて構成され、柱材を伝う雨水を、排水レールの排水溝により集水させて、排水溝内を流れて排水端部より雨水排水装置の外部に排出させるものである。
【先行技術文献】
【特許文献】
【００１０】
【特許文献１】実開平５−８７１６３号公報
【特許文献２】特開２００８−１８００３２号公報
【考案の概要】
【考案が解決しようとする課題】
【００１１】
しかしながら、前記した特許文献１の場合、斜材用雨水排出装置は鋼管の周囲に固定され、また、特許文献２の場合、雨水排水装置は主柱材又は斜材の外側の面又は内側の面に設置されているだけで、特に雨水の飛散の激しい主柱材と斜材とを連結する連結プレートの、例えば、角部位及びボルト締結部位等における集束雨水の飛散対策は何等解決されていないことから、近隣住民の苦情が解決されない事態が生じる可能性がある（前記した図１４及び図１５参照）。
【００１２】
そのため、上記事例のように鉄塔の部品形状が飛散の原因となっている場合は、鉄塔を構成する部品形状である、例えば、主柱材と斜材とを連結する連結プレートの形状を飛散しない形状、すなわち雨水が収束しない形状に変更する必要がある。
【００１３】
しかし、鉄塔の主柱材に対する斜材の連結箇所である連結プレートを取り替えるには、常に応力の掛かっている斜材を主柱材から一旦取り外す必要があり、鉄塔を補強するか、電線を一時的に外して荷重を下げる必要が発生する。
【００１４】
要するに、飛散の原因となっている連結プレートは簡単に外せるものではないため、水が収束しないようにするか、雨水飛散を物理的に防止する必要がある。
【００１５】
そこで、この考案は、叙上のような従来存した諸事情に鑑み案出されたもので、その目的は、降雨時において、架空送電線等の鉄塔の主柱材及び斜材を伝わって流下する雨水が、当該主柱材と斜材とを連結する連結プレートの、例えば、角部位及びボルト締結部位等に集束して、そこから鉄塔の周辺に飛散するのを防止することができる、鉄塔の雨水飛散防止装置を提供することにある。
【課題を解決するための手段】
【００１６】
本考案に係る請求項１の考案は、降雨時に、鉄塔Ｐの主柱材１と斜材２とを連結する連結プレート３に集束した雨水が地上に飛散するのを防止するための鉄塔Ｐの雨水飛散防止装置であって、該装置は、前記主柱材１から連結プレート３に沿って流下する雨水および連結プレート３の角部位３ａまたはボルト締結部位３ｂに集束した雨水の飛散を受け止めるために、前記主柱材１における連結プレート３直下に付設された飛散防止カバー５を備えてなることで、上述した課題を解決した。
【００１７】
この請求項１に係る鉄塔の雨水飛散防止装置によれば、主柱材１における連結プレート３直下に付設された飛散防止カバー５により、連結プレート３の、例えば角部位３ａ及びボルト締結部位３ｂ等に集束した雨水の飛散が容易に食い止められることとなり、鉄塔Ｐの周辺に雨水が飛散するのを確実に防止することができる。
【００１８】
また、本考案に係る請求項２の考案は、前記飛散防止カバー５は、斜材２に掛け止め固定された肩掛材４を介して取り付けられていることで、同じく、上述した課題を解決した。
【００１９】
この請求項２に係る鉄塔の雨水飛散防止装置によれば、飛散防止カバー５は、斜材２に掛け止め固定された肩掛材４を介して間接的に取り付けられるため、従来のように連結プレート３の形状を飛散しない形状、すなわち雨水が収束しない形状に変更するために、鉄塔Ｐの主柱材１に対する斜材２の連結箇所である連結プレート３を取り替えるという面倒な作業を要することなく、鉄塔Ｐに対し容易に飛散防止カバー５を取り付けることができ、連結プレート３の、例えば、角部位３ａ及びボルト締結部位３ｂ等に集束した雨水が鉄塔Ｐの周辺に飛散するのを確実に防止することができる。
【００２０】
さらに、本考案に係る請求項３の考案は、前記鉄塔Ｐは、主柱材１および斜材２が断面略Ｌ字状となる山形鋼であり、前記連結プレート３は主柱材の外側両端においてそれぞれ一部はみ出し状に取り付けられた不等辺多角形状の平板材であって、主柱材１の外側一端の連結プレート３の内側に斜材２の外側を接続し、主柱材１の外側他端の連結プレート３の外側に斜材２の外側を接続してなり、前記飛散防止カバー５は、主柱材１の外側両端の前記連結プレート３に各接続された斜材２それぞれに掛け止め固定された肩掛材４によって外側両端の各連結プレート３直下において主柱材１の外側に沿って架設される略Ｌ字枠状の帯板材としてなることで、同じく、上述した課題を解決した。
【００２１】
この請求項３に係る鉄塔の雨水飛散防止装置によれば、主柱材１および斜材２がともに断面略Ｌ字状となる山形鋼であっても、肩掛材４及び飛散防止カバー５の設置が容易に行える。
【００２２】
また、本考案に係る請求項４の考案は、前記飛散防止カバー５は、主柱材１の外側に略水平となって当接される基部５ａと、該基部５ａの上辺から斜め前方に向けて張り出した雨水受カバー部５ｂとを有してなることで、同じく、上述した課題を解決した。
【００２３】
この請求項４に係る鉄塔の雨水飛散防止装置によれば、飛散防止カバー５の雨水受カバー部５ｂによって、連結プレート３の、例えば、角部位３ａ及びボルト締結部位３ｂ等に集束した雨水の飛散を確実に食い止めることができる。
【００２４】
加えて、本考案に係る請求項５の考案は、前記雨水受カバー部５ｂは、連結プレート３の角部位３ａに対向する箇所だけ縦幅を大きくしてなることで、同じく、上述した課題を解決した。
【００２５】
この請求項５に係る鉄塔の雨水飛散防止装置によれば、連結プレート３の特に雨水の飛散の激しい角部位３ａに対向して縦幅の大きい雨水受カバー部５ｂが配されているので、角部位３ａからの雨水の飛散を確実に防止することができる。
【００２６】
また、本考案に係る請求項６の考案は、前記主柱材１の内側には、前記両側の肩掛材４を介して、雨樋状の内側雨受け金具６が付設されてなることで、同じく、上述した課題を解決した。
【００２７】
この請求項６に係る鉄塔の雨水飛散防止装置によれば、鉄塔Ｐに対し肩掛材４を介して容易に内側雨受け金具６を取り付けることができ、内側雨受け金具６によって主柱材１の外側からの雨水を内側に停留させることができる。
【００２８】
この他、本考案に係る請求項７の考案は、前記内側雨受け金具６の中央には、主柱材１の内側中央から当該主柱材１に沿って雨水を流下させるための水抜部６ａを設けてなることで、同じく、上述した課題を解決した。
【００２９】
この請求項７に係る鉄塔の雨水飛散防止装置によれば、内側雨受け金具６に停留させた雨水を水抜部６ａから主柱材１内面に沿って容易に流下させることができる。
【００３０】
さらに、本考案に係る請求項８の考案は、前記肩掛材４は、斜材２の外側に当接される略Ｌ字片状の肩掛片４ａと、斜材２の内側に当接して前記肩掛片４ａに接続される略Ｌ字片状の支持アーム片７とを有し、該支持アーム片７または肩掛片４ａを介して前記内側雨受け金具６が主柱材１の内側に当接配置されるものとしてなることで、同じく、上述した課題を解決した。
【００３１】
この請求項８に係る鉄塔の雨水飛散防止装置によれば、肩掛材４は、肩掛片４ａと支持アーム片７とによって斜材２を挟み込むようにして取り付けられ、しかも内側雨受け金具６は、支持アーム片７または肩掛片４ａを介して主柱材１の内側に当接配置されるので、主柱材１および斜材２がともに断面略Ｌ字状となる山形鋼であっても、肩掛材４及び内側雨受け金具６の設置が容易に行える。
【００３２】
加えて、本考案に係る請求項９の考案は、前記肩掛材４は、その上辺から斜め前方に向けて張り出した堰き止め部４ｂを設け、前記主柱材１から斜材２に沿って流下する雨水を堰き止めて前記飛散防止カバー５側に導くものとしてなることで、同じく、上述した課題を解決した。
【００３３】
この請求項９に係る鉄塔の雨水飛散防止装置によれば、堰き止め部４ｂによって、主柱材１から斜材２に沿って流下する雨水を容易に堰き止め飛散防止カバー５側に導くことができる。
【００３４】
さらに、本考案に係る請求項１０の考案は、前記支持アーム片７または前記肩掛材４に接続された前記内側雨受け金具６の接続部には、前記雨水受カバー部５ｂによって受けた雨水を前記内側雨受け金具６側に導入させるための略Ｌ字片状の雨水導入用連通片８が接続されてなることで、同じく、上述した課題を解決した。
【００３５】
この請求項１０に係る鉄塔の雨水飛散防止装置によれば、雨水導入用連通片８によって、雨水受カバー部５ｂによって受けた雨水を内側雨受け金具６側に容易に導入させることができる。
【００３６】
この他、本考案に係る請求項１１の考案は、前記雨水導入用連通片８は、前記飛散防止カバー５の雨水受カバー部５ｂ内面に接触する当接導通片８ａを上辺に備え、雨水受カバー部５ｂによって受けた雨水を、当接導通片８ａを介して前記内側雨受け金具６内部に導入させるものとしたことで、同じく、上述した課題を解決した。
【００３７】
この請求項１１に係る鉄塔の雨水飛散防止装置によれば、飛散防止カバー５の雨水受カバー部５ｂで受け止めた雨水を、当接導通片８ａを通じて内側雨受け金具６内部に容易に導入させることができる。
【考案の効果】
【００３８】
この考案は、以上に説明したように構成されていることから、降雨時において、架空送電線等の鉄塔Ｐの主柱材１及び斜材２を伝わって流下する雨水が、当該主柱材１と斜材２とを連結する連結プレート３の、例えば、角部位３ａ及びボルト締結部位３ｂ等に集束して、そこから鉄塔Ｐの周辺に飛散するのを確実に防止することができる。また、主柱材１及び斜材２からなる鉄塔Ｐにおける雨水飛散防止装置の設置を、安全且つ低コストでしかも簡易に行うことができる。
【００３９】
すなわち、雨水の飛散を防止するためには、第１に連結プレート３の角部位３ａに集束しないよう雨水の流れを変える方法と、第２に飛散発生箇所に飛散防止カバー５を付ける方法の２つが考えられる。第１の方法については、雨の量、風向・風量によって変化するため対策が難しい。第２の方法については、対策方法が明確で効果も期待できることから、鉄塔Ｐの主柱材１に取り付けて連結プレート３の角部位３ａを覆うことのできる雨水飛散防止装置を考案した。
【００４０】
この考案の特徴としては、飛散防止カバー５及び内側雨受け金具６を取り付ける方法において、鉄塔Ｐの主柱材１及び斜材２に対し連結プレート３を一切外すことなく肩掛材４を介して容易に鉄塔Ｐに取り付けることができる構造であり、しかも飛散防止カバー５及び内側雨受け金具６は、主柱材１及び斜材２を挟み込む肩掛材４と支持アーム片７とで取り付けができる構造となっていることから、この飛散防止カバー５を飛散発生箇所の鉄塔Ｐの主柱材１における連結プレート３直下に取付け、飛散発生源の連結プレート３の角部位３ａを飛散防止カバー５で覆うことによって、雨水の飛散を防止することが可能となった。
【図面の簡単な説明】
【００４１】
【図１】鉄塔への雨水飛散防止装置の使用状態の一例を外側から視た状態の斜視図である。
【図２】鉄塔への雨水飛散防止装置の使用状態の一例を内側から視た状態の斜視図である。
【図３】雨水飛散防止装置の取り付け状態の一例を鉄塔の右側から視た状態の分解斜視図である。
【図４】雨水飛散防止装置の取り付け状態の一例を鉄塔の左側から視た状態の分解斜視図である。
【図５】雨水飛散防止装置を構成する飛散防止カバーの一例を示し、（ａ）は斜め前方から視た斜視図、（ｂ）は斜め下後方向から視た斜視図である。
【図６】雨水飛散防止装置を構成する内側雨受け金具の一例を示し、（ａ）は斜め後方から視た斜視図、（ｂ）は斜め下後方向から視た斜視図である。
【図７】雨水飛散防止装置を構成する雨水導入用連通片の一例を示し、（ａ）は表側から視た斜視図、（ｂ）は裏側から視た斜視図である。
【図８】雨水飛散防止装置を構成する肩掛材の一例を示し、（ａ）は表側から視た斜視図、（ｂ）は裏側から視た斜視図である。
【図９】雨水飛散防止装置を構成する支持アーム片の一例を示し、（ａ）は表側から視た斜視図、（ｂ）は裏側から視た斜視図である。
【図１０】鉄塔の雨水流下状態において飛散防止カバーと肩掛材とによる雨水の流下径路を示す前方視による斜視図である。
【図１１】鉄塔の雨水流下状態において飛散防止カバーと肩掛材と雨水導入用連通片と内側雨受け金具とによる雨水の流下径路を示す右方視による斜視図である。
【図１２】鉄塔の雨水流下状態において肩掛材と雨水導入用連通片と内側雨受け金具とによる雨水の流下径路を示す左方視による斜視図である。
【図１３】鉄塔の雨水流下状態において肩掛材と雨水導入用連通片と内側雨受け金具とによる雨水の流下径路を示す後方視による斜視図である。
【図１４】従来例における鉄塔の雨水飛散状態の一例を外側から視た状態の斜視図である。
【図１５】従来例における鉄塔の雨水飛散状態の一例を内側から視た状態の斜視図である。
【考案を実施するための形態】
【００４２】
以下に、図面を参照して、この考案を実施するための一形態を説明する。
【００４３】
＜雨水飛散防止装置の使用の目的＞
本実施形態に係る雨水飛散防止装置は、例えば、架空送電線等の鉄塔Ｐの主柱材１及び斜材２を伝わって流下する雨水が、当該主柱材１と斜材２とを連結する連結プレート３の、例えば角部位３ａ及びボルト締結部位３ｂ（ボルトＶとナットＮとによる締結固定部分：後述の図３及び図４参照）等に集束してそこから鉄塔Ｐの周辺に飛散するのを防止するためのものである。
【００４４】
＜雨水飛散防止装置の全体構成＞
すなわち、本実施形態に係る雨水飛散防止装置は、図１及び図２に示すように、鉄塔Ｐの主柱材１の外側における不等辺多角形状の左右一対の連結プレート３直下において、右方の斜材２の外側に掛け止め固定された肩掛材４及び左方の斜材２の内側に取り付けられた支持アーム片７によって両端が各固定される飛散防止カバー５と、主柱材１の内側において左方の斜材２の外側に掛け止め固定された肩掛材４及び右方の斜材２の内側に取り付けられた支持アーム片７によって両端が各固定される雨樋状の内側雨受け金具６と、内側雨受け金具６の両端に各配される左右一対の雨水導入用連通片８と、によって概ね構成されている。
【００４５】
＜鉄塔Ｐの具体的構成＞
本実施形態においては、鉄塔Ｐは、主柱材１および斜材２が断面略Ｌ字状となる山形鋼（アングル材）であり、前記連結プレート３は、主柱材１の外側両端（図１中、山形鋼の左右対称位置）においてそれぞれ外方へ一部はみ出した状態でボルト締結された不等辺多角形状の平板材によって形成されている。
【００４６】
尚、ボルト締結とは、ボルトＶとナットＮとによる締結固定を意味する（後述の図３及び図４参照）。
【００４７】
具体的には、図１に示すように、連結プレート３は、不等辺六角形状の平板材によって形成され、主柱材１の中央側において上下２箇所に斜材２がボルト締結されている。
【００４８】
そして、主柱材１の外側一端（図１中、右側）の連結プレート３の内側に斜め下向きの斜材２の上端外側（山形鋼の一方の外面）を当接して３箇所をボルト締結によって接続し、主柱材１の外側他端（図１中、左側）の連結プレート３の外側に斜め下向きの斜材２の上端外側（山形鋼の他方の外面）を当接して３箇所をボルト締結によって接続してなる。
【００４９】
また、主柱材１の外側一端（図１中、右側）の連結プレート３の外側に斜め上向きの斜材２の下端外側（山形鋼の一方の外面）を当接して３箇所をボルト締結によって接続し、主柱材１の外側他端（図１中、左側）の連結プレート３の内側に斜め上向きの斜材２の下端外側（山形鋼の他方の外面）を当接して３箇所をボルト締結によって接続してなる。
【００５０】
飛散防止カバー５は、主柱材１の外側両端の前記連結プレート３に各接続された斜材２それぞれに掛け止め固定された肩掛材４によって、外側両端の各連結プレート３直下において主柱材１の外側（山形鋼のＬ字型表面）に沿って横架状に付設される略Ｌ字枠状の帯板材としてなる。
【００５１】
＜飛散防止カバー５の構成＞
図５（ａ）及び図５（ｂ）に示すように、飛散防止カバー５は、主柱材１の外側（山形鋼のＬ字型表面）に水平となって略当接される略Ｌ字枠状の基部５ａと、該基部５ａの上辺から斜め前方に向けて張り出した雨水受カバー部５ｂとを有し、この雨水受カバー部５ｂのうち、連結プレート３の角部位３ａに対向する箇所だけはその縦幅を大きくしてある。
【００５２】
尚、基部５ａの左右端には、ボルト挿入用の円孔５ｃが形成されている（図３及び図４参照）。
【００５３】
＜内側雨受け金具６の構成＞
図６（ａ）及び図６（ｂ）に示すように、内側雨受け金具６は、略Ｌ字枠状の帯板材によって形成され、その下端側は内側に向けて略Ｖ字状の折り返し部６ｂが形成されている。この場合の折り返し部６ｂは、内部が互いに内側に向かって傾斜した溝に沿って中央に雨水を誘導させるよう中央よりも両端の折り返し長さを大きくし、全体略扁平漏斗状の雨樋となって構成されている。
【００５４】
また、内側雨受け金具６の中央には、主柱材１の内側中央から当該主柱材１に沿って雨水を流下させるための切欠状の水抜部６ａを設けてある。
【００５５】
尚、内側雨受け金具６の左右端には、ボルト挿入用の長孔６ｃが形成されている（図３及び図４参照）。
【００５６】
＜雨水導入用連通片８の構成＞
図７（ａ）及び図７（ｂ）に示すように、雨水導入用連通片８は、飛散防止カバー５の雨水受カバー部５ｂ内面に接触する矩形状の当接導通片８ａが上辺に形成されている。雨水受カバー部５ｂによって受けた雨水は、この当接導通片８ａを介して内側雨受け金具６内部に導入させるものとしてある。
【００５７】
尚、雨水導入用連通片８の一端には、ボルト挿入用の長孔８ｃが形成されている（図３及び図４参照）。この雨水導入用連通片８は、左右の斜材２に対応して左右一対となって形成されている。
【００５８】
＜肩掛材４の構成＞
図８（ａ）及び図８（ｂ）に示すように、肩掛材４は、斜材２の外側に当接される略Ｌ字片状の肩掛片４ａと、その上辺から斜め前方に向けて張り出した堰き止め部４ｂとを有し、主柱材１の内側から斜材２の上面に沿って流下する雨水を堰き止め部４ｂによって堰き止め、前記飛散防止カバー５側に導くものとしてある。この肩掛片４ａのＬ字長さは、斜材２のＬ字幅員よりも大きくなるように形成されている。
【００５９】
尚、肩掛片４ａの両端にはボルト挿入用の円孔４ｃが形成されている（図３及び図４参照）。この肩掛材４は、左右の斜材２に対応して左右一対となって形成されている。
【００６０】
＜支持アーム片７の構成＞
図９（ａ）及び図９（ｂ）に示すように、支持アーム片７は、斜材２の内側に当接されるよう略Ｌ字片状の帯板材によって形成され、左右一対の肩掛片４ａに各接続されることで、支持アーム片７または肩掛片４ａを介して前記内側雨受け金具６が主柱材１の内側に当接配置されるものとしてある。この支持アーム片７のＬ字長さは、斜材２のＬ字幅員よりも大きくなるように形成され、前記肩掛片４ａのＬ字長さと略同様な大きさとなっている。
【００６１】
尚、支持アーム片７の両端にはボルト挿入用の円孔７ｃが形成されている（図３及び図４参照）。この支持アーム片７は、左右の斜材２に対応して左右一対となって形成されている。
【００６２】
次に、本実施形態に係る鉄塔の雨水飛散防止装置の取り付け方法について、図３及び図４に基づき説明する。
【００６３】
図３に示すように、主柱材１の左側の連結プレート３に対する雨水飛散防止装置の取り付けに際し、先ず、左側の連結プレート３に接続されている斜材２の外面に肩掛材４（肩掛片４ａ）を被せるようにあてがい、その外側から飛散防止カバー５を被せ、斜材２の内側からは内側雨受け金具６、雨水導入用連通片８、支持アーム片７の順にあてがう。
【００６４】
そして、後方から支持アーム片７の円孔７ｃ・雨水導入用連通片８の長孔８ｃ・内側雨受け金具６の長孔６ｃ・肩掛材４（肩掛片４ａ）の円孔４ｃ・飛散防止カバー５の円孔５ｃにわたってボルトＶを挿通させ、前方からナットＮで締結する。さらに、下方から支持アーム片７の上辺の円孔７ｃ・肩掛材４（肩掛片４ａ）の上辺の円孔４ｃにわたってボルトＶを挿通させ、上方からナットＮで締結する。
【００６５】
図４に示すように、主柱材１の左側の連結プレート３に対する雨水飛散防止装置の取り付けに際し、先ず、左側の連結プレート３に接続されている斜材２の外面に肩掛材４（肩掛片４ａ）を被せるようにあてがい、その外側から飛散防止カバー５・支持アーム片７の順に被せ、斜材２の内側からは内側雨受け金具６、雨水導入用連通片８の順にあてがう。
【００６６】
そして、後方から雨水導入用連通片８の長孔８ｃ・内側雨受け金具６の長孔６ｃ・肩掛材４（肩掛片４ａ）の円孔４ｃ・飛散防止カバー５の円孔５ｃ・支持アーム片７の円孔７ｃにわたってボルトＶを挿通させ、前方からナットＮで締結する。さらに、下方から支持アーム片７の上辺の円孔７ｃ・肩掛材４（肩掛片４ａ）の上辺の円孔４ｃにわたってボルトＶを挿通させ、上方からナットＮで締結する。
【００６７】
尚、鉄塔Ｐへの雨水飛散防止装置の取り付け（順次部材の重ね合せとボルト締結）は、左右の斜材２に対して略同時に行われる。
【００６８】
次に、本実施形態に係る鉄塔の雨水飛散防止装置の降雨時での使用（雨水の流れ）について、図１０乃至図１３に基づき説明する。
【００６９】
図１０に示すように、主柱材１の山型中央に沿って直接流下する雨水、斜材２の内外に沿って流下する雨水はともに飛散防止カバー５の雨水受カバー部５ｂによって受け止められる。また、連結プレート３の角部位３ａによって集束した雨水はその飛散が激しいのであるが、連結プレート３の角部位３ａに対向する箇所だけ縦幅を大きくしてなる雨水受カバー部５ｂによって、飛散した雨水は効果的に受け止められる。さらに、主柱材１の内側から斜材２上面に沿って流下する雨水は、肩掛片４の上辺の堰き止め部４ｂによって堰き止められ、飛散防止カバー５の雨水受カバー部５ｂ内側に導かれる。
【００７０】
図１１に示すように、主柱材１の内側から斜材２上面に沿って流下する雨水は、肩掛片４の上辺の堰き止め部４ｂによって堰き止められ、飛散防止カバー５の雨水受カバー部５ｂの内面に当接した雨水導入用連通片８の当接導通片８ａを介して内側雨受け金具６内部に導入させる。
【００７１】
尚、図示による説明を省略するが、斜材２の上面を流下して堰き止め部４ｂによって堰き止められた雨水を効率良く主柱材１の裏側に流れるよう肩掛片４ａの下辺（円孔４ｃ）を雨水導入用連通片８（長孔８ｃ）と内側雨受け金具６（長孔６ｃ）との間に挟み込むようにして設けても良い。
【００７２】
図１２に示すように、雨水受カバー部５ｂの内側に流下した雨水は、雨水導入用連通片８の当接導通片８ａを介して内側雨受け金具６内部の互いに内側に向かって傾斜した溝に沿って中央に誘導させる。
【００７３】
図１３に示すように、内側雨受け金具６内部の互いに内側に向かって傾斜した溝に沿って中央に誘導させた雨水は、内側雨受け金具６中央の水抜部６ａから下方に落下し、主柱材１の内側中央に沿って雨水を流下させる。
【００７４】
また、実際の飛散発生箇所の実物モデルを製作し、雨水飛散状況を再現した上でこの考案の効果確認を行った。その結果、この考案の飛散防止カバー５を鉄塔Ｐの雨水飛散発生箇所に取付けることによって、費用が最小限で鉄塔Ｐの連結プレート３に集積した雨水の飛散を防止することが可能となった。
【００７５】
また、鉄塔Ｐを伝う雨水は内側雨受け金具６によって主柱材１内側に流すことによって、連結プレート３に集積することを防止することができた。鉄塔Ｐへの取り付けは、鉄塔Ｐの斜材２の肩掛けされる肩掛材４（支持アーム片７を含む）によって、飛散防止カバー５及び内側雨受け金具６の落下を防止することができた。
【産業上の利用可能性】
【００７６】
この考案は、架空送電線の鉄塔Ｐ以外に、例えば、橋梁や各種の電波通信用タワー等の主柱材１・斜材２と、その他の水平な梁材等とを連結する連結プレート３の直下に設けられる雨水飛散防止装置として、幅広く利用されるものである。
【符号の説明】
【００７７】
Ｐ…鉄塔
１…主柱材
２…斜材
３…連結プレート
３ａ…角部位
３ｂ…ボルト締結部位
４…肩掛材
４ａ…肩掛片
４ｂ…堰き止め部
４ｃ…円孔
５…飛散防止カバー
５ａ…基部
５ｂ…雨水受カバー部
５ｃ…円孔
６…内側雨受け金具
６ａ…水抜部
６ｂ…折り返し部
６ｃ…長孔
７…支持アーム片
７ｃ…円孔
８…雨水導入用連通片
８ａ…当接導通片
８ｃ…長孔
【図１】
0003208952.tif 000003
【図２】
0003208952.tif 000004
【図３】
0003208952.tif 000005
【図４】
0003208952.tif 000006
【図５】
0003208952.tif 000007
【図６】
0003208952.tif 000008
【図７】
0003208952.tif 000009
【図８】
0003208952.tif 000010
【図９】
0003208952.tif 000011
【図１０】
0003208952.tif 000012
【図１１】
0003208952.tif 000013
【図１２】
0003208952.tif 000014
【図１３】
0003208952.tif 000015
【図１４】
0003208952.tif 000016
【図１５】
0003208952.tif 000017
【手続補正書】
【提出日】平成28年12月4日(2016.12.4)
【手続補正１】
【補正対象書類名】実用新案登録請求の範囲
【補正対象項目名】全文
【補正方法】変更
【補正の内容】
【実用新案登録請求の範囲】
【請求項１】
降雨時に、鉄塔の主柱材と斜材とを連結する連結プレートに集束した雨水が地上に飛散するのを防止するための鉄塔の雨水飛散防止装置であって、該装置は、前記主柱材から連結プレートに沿って流下する雨水および連結プレートの角部位またはボルト締結部位に集束した雨水の飛散を受け止めるために、前記主柱材における連結プレート直下に付設された飛散防止カバーを備えてなることを特徴とする鉄塔の雨水飛散防止装置。
【請求項２】
前記飛散防止カバーは、斜材に掛け止め固定された肩掛材を介して取り付けられている請求項１に記載の鉄塔の雨水飛散防止装置。
【請求項３】
前記鉄塔は、主柱材および斜材が断面略Ｌ字状となる山形鋼であり、前記連結プレートは主柱材の外側両端においてそれぞれ一部はみ出し状に取り付けられた不等辺多角形状の平板材であって、主柱材の外側一端の連結プレートの内側に斜材の外側を接続し、主柱材の外側他端の連結プレートの外側に斜材の外側を接続してなり、前記飛散防止カバーは、主柱材の外側両端の前記連結プレートに各接続された斜材それぞれに掛け止め固定された肩掛材によって外側両端の各連結プレート直下において主柱材の外側に沿って架設される略Ｌ字枠状の帯板材としてなる請求項１または２に記載の鉄塔の雨水飛散防止装置。
【請求項４】
前記飛散防止カバーは、主柱材の外側に略水平となって当接される基部と、該基部の上辺から斜め前方に向けて張り出した雨水受カバー部とを有してなる請求項１乃至３のいずれかに記載の鉄塔の雨水飛散防止装置。
【請求項５】
前記雨水受カバー部は、連結プレートの角部位に対向する箇所だけ縦幅を大きくしてなる請求項４に記載の鉄塔の雨水飛散防止装置。
【請求項６】
前記主柱材の内側には、前記両側の肩掛材を介して、雨樋状の内側雨受け金具が付設されてなる請求項３に記載の鉄塔の雨水飛散防止装置。
【請求項７】
前記内側雨受け金具の中央には、主柱材の内側中央から当該主柱材に沿って雨水を流下させるための水抜部を設けてなる請求項６に記載の鉄塔の雨水飛散防止装置。
【請求項８】
前記肩掛材は、斜材の外側に当接される略Ｌ字片状の肩掛片と、斜材の内側に当接して前記肩掛片に接続される略Ｌ字片状の支持アーム片とを有し、該支持アーム片または肩掛片を介して前記内側雨受け金具が主柱材の内側に当接配置されるものとしてなる請求項６に記載の鉄塔の雨水飛散防止装置。
【請求項９】
前記肩掛材は、その上辺から斜め前方に向けて張り出した堰き止め部を設け、前記主柱材から斜材に沿って流下する雨水を堰き止めて前記飛散防止カバー側に導くものとしてなる請求項８に記載の鉄塔の雨水飛散防止装置。
【請求項１０】
前記飛散防止カバーは、斜材に掛け止め固定された肩掛材を介して取り付けられ、前記肩掛材は、斜材の外側に当接される略Ｌ字片状の肩掛片と、斜材の内側に当接して前記肩掛片に接続される略Ｌ字片状の支持アーム片とを有し、該支持アーム片または肩掛片を介して前記内側雨受け金具が主柱材の内側に当接配置されるもので、前記支持アーム片または前記肩掛材に接続された前記内側雨受け金具の接続部には、前記雨水受カバー部によって受けた雨水を前記内側雨受け金具側に導入させるための略Ｌ字片状の雨水導入用連通片が接続されてなる請求項４に記載の鉄塔の雨水飛散防止装置。
【請求項１１】
前記雨水導入用連通片は、前記飛散防止カバーの雨水受カバー部内面に接触する当接導通片を上辺に備え、雨水受カバー部によって受けた雨水を、当接導通片を介して前記内側雨受け金具内部に導入させるものとした請求項１０に記載の鉄塔の雨水飛散防止装置。
【手続補正２】
【補正対象書類名】明細書
【補正対象項目名】００３４
【補正方法】変更
【補正の内容】
【００３４】
さらに、本考案に係る請求項１０の考案は、前記飛散防止カバー５は、斜材２に掛け止め固定された肩掛材４を介して取り付けられ、前記肩掛材４は、斜材２の外側に当接される略Ｌ字片状の肩掛片４ａと、斜材２の内側に当接して前記肩掛片４ａに接続される略Ｌ字片状の支持アーム片７とを有し、該支持アーム片７または肩掛片４ａを介して前記内側雨受け金具６が主柱材１の内側に当接配置されるもので、前記支持アーム片７または前記肩掛材４に接続された前記内側雨受け金具６の接続部には、前記雨水受カバー部５ｂによって受けた雨水を前記内側雨受け金具６側に導入させるための略Ｌ字片状の雨水導入用連通片８が接続されてなることで、同じく、上述した課題を解決した。